(57)【特許請求の範囲】
【請求項１】
電子デバイスを形成する方法であって、
射出成形ツールを用いて、前記電子デバイスの電子デバイス筐体構造の上に、開口部を有するプラスチックディスプレイトリムを射出成形するステップと、
前記プラスチックディスプレイトリムを射出成形した後に、前記開口部にディスプレイを配置することによって、前記プラスチックディスプレイトリムに前記ディスプレイを搭載するステップと、
前記電子デバイス筐体構造の中にプリント配線板を搭載するステップと、を含み、
前記電子デバイス筐体構造は、内部空洞を囲む背壁及び４つの側壁を有し、前記ディスプレイ及び前記プリント配線板は、前記内部空洞内に搭載される、ことを特徴とする、電子デバイスを形成する方法。
【請求項２】
電子デバイスを形成する方法であって、
射出成形ツールを用いて、前記電子デバイスの電子デバイス筐体構造の上に、開口部を有するプラスチックディスプレイトリムを射出成形するステップと、
前記プラスチックディスプレイトリムを射出成形した後に、前記開口部にディスプレイを配置することによって、前記プラスチックディスプレイトリムに前記ディスプレイを搭載するステップと、を含み、
前記プラスチックディスプレイトリムを射出成形するステップは、前記プラスチックディスプレイトリム用のプラスチックを形成する熱可塑性エラストマ材料を融解するステップを含むことを特徴とする、電子デバイスを形成する方法。
【請求項３】
前記射出成形ツールは、長方形のチャネルを有する金型を備え、前記プラスチックディスプレイトリムを射出成形するステップは、前記プラスチックを前記長方形のチャネルに注入するステップを含むことを特徴とする、請求項２に記載の電子デバイスを形成する方法。
【請求項４】
前記電子デバイス筐体は、平面に位置し、前記平面に対してゼロ以外の角度で傾斜する傾斜内表面を有し、前記プラスチックディスプレイトリムを射出成形するステップは、前記傾斜内表面上に前記プラスチックディスプレイトリムを射出成形するステップを含むことを特徴とする、請求項３に記載の電子デバイスを形成する方法。
【請求項５】
前記電子デバイス筐体構造は、曲率半径を有する湾曲した面を備え、前記プラスチックディスプレイトリムを射出成形するステップは、前記湾曲した面上に前記プラスチックディスプレイトリムを射出成形するステップを含むことを特徴とする、請求項３に記載の電子デバイスを形成する方法。
【請求項６】
前記曲率半径は０．１ｍｍより大きく、５ｍｍより小さいことを特徴とする、請求項５に記載の電子デバイスを形成する方法。
【請求項７】
電子デバイスを形成する方法であって、
射出成形ツールを用いて、前記電子デバイスの電子デバイス筐体構造の上に、開口部を有するプラスチックディスプレイトリムを射出成形するステップであって、前記射出成形ツールは、上型構造及び下型構造を有する、ステップと、
前記上型構造と前記下型構造との間に前記電子デバイス筐体構造を押しつけるステップと、
コンピュータ制御の位置決め装置を用いて、前記電子デバイス筐体構造を、前記下型構造に対して、水平方向に位置付けるステップと、
前記プラスチックディスプレイトリムを射出成形した後に、前記開口部にディスプレイを配置することによって、前記プラスチックディスプレイトリムに前記ディスプレイを搭載するステップと、を含み、
前記下型構造は、複数の個別に制御される部分を含み、前記上型構造と前記下型構造との間に前記電子デバイス筐体構造を押しつけるステップは、前記個別に制御される部分の各々を、前記電子デバイス筐体構造に対して移動するステップを含むことを特徴とする、電子デバイスを形成する方法。
【請求項８】
前記個別に制御される部分は、４つの隅部分を含み、前記上型構造と前記下型構造との間に前記電子デバイス筐体構造を押しつけるステップは、前記４つの隅部分の各々を移動するステップを含むことを特徴とする、請求項７に記載の電子デバイスを形成する方法。
【請求項９】
装置であって、
内部空洞を囲む背壁及び４つの側壁を有し、棚部を有する電子デバイス筐体と、
前記電子デバイス筐体の上に射出成形されるオーバーモールドされたプラスチックディスプレイトリムと、
前記プラスチックディスプレイトリム内のディスプレイと、を備え、
前記ディスプレイは、対向する内面及び外面を有し、光が、前記外面を介して放射され、前記プラスチックディスプレイトリムの一部が、前記ディスプレイの前記内面と前記電子デバイス筐体の棚部との間に介在しており、
前記電子デバイス筐体の中に搭載されたプリント配線板を更に備え、前記プリント配線板及び前記ディスプレイは、前記電子デバイス筐体の前記内部空洞内に搭載される、ことを特徴とする、装置。
【請求項１０】
前記ディスプレイは、前記プラスチックディスプレイトリム内に搭載された長方形のディスプレイカバーガラスを含むことを特徴とする、請求項９に記載の装置。
【請求項１１】
前記電子デバイス筐体は、平面の金属筐体を含み、前記オーバーモールドされたプラスチックディスプレイトリムは、前記平面の金属筐体の周縁部分の内表面の上に射出成形されることを特徴とする、請求項１０に記載の装置。
【請求項１２】
前記オーバーモールドされたプラスチックディスプレイトリムは、前記ディスプレイが搭載される長方形の開口部を有する長方形のリング形状を備えることを特徴とする、請求項９に記載の装置。
【請求項１３】
前記電子デバイス筐体は、平面に位置し、前記筐体の傾斜する内面が、前記平面に対してゼロ以外の角度に向いた軸に沿って位置し、前記オーバーモールドされたプラスチックディスプレイトリムは、前記傾斜する内面の上に射出成形されることを特徴とする、請求項１２に記載の装置。
【請求項１４】
前記電子デバイス筐体は、平面に位置し、前記電子デバイス筐体の湾曲した内面は、０．１ｍｍより大きく５ｍｍより小さい曲率半径により特徴づけられ、前記オーバーモールドされたプラスチックディスプレイトリムは、前記湾曲した内面の上に射出成形されることを特徴とする、請求項１２に記載の装置。
【請求項１５】
前記装置は、
プリント配線と、
前記プリント配線の上に搭載された電気部品と、
を更に備え、前記プリント配線及び前記電気部品は、前記電子デバイス筐体と前記ディスプレイとの間に位置することを特徴とする、請求項１２に記載の装置。
【請求項１６】
装置であって、
内部空洞を囲む背壁及び４つの側壁を有する、金属のコンピューティングデバイス筐体構造と、
前記金属のコンピューティングデバイス筐体構造の上に直接成形されるプラスチックトリムと、を備え、
前記金属のコンピューティングデバイス筐体構造は、湾曲した面を有し、前記プラスチックトリムは、前記湾曲した面に合わされ、
前記プラスチックトリム内に搭載されたディスプレイ層を更に備え、
前記ディスプレイ層は、側面によって連結され、対向する内面及び外面を有し、前記金属のコンピューティングデバイス筐体構造の前記湾曲した面は、前記ディスプレイ層の前記側面と平行である第１部分から、前記ディスプレイ層の前記内面に平行な第２部分まで延びており、
プリント配線板を更に備え、前記ディスプレイ層及び前記プリント配線板は、前記金属のコンピューティングデバイス筐体構造の前記内部空洞内に搭載される、ことを特徴とする装置。
【請求項１７】
前記ディスプレイ層は、長方形のガラス層を含むことを特徴とする、請求項１６に記載の装置。
【発明の詳細な説明】
【背景技術】
【０００１】
本出願は、この参照によりその全体が本明細書内に組み入れられる、２０１３年８月１５日付で出願された、米国特許出願第１３／９６７，５９５号に対して優先権を主張するものである。
【０００２】
本出願は、一般的には、電子デバイスに関し、より具体的には、ディスプレイを有する電子デバイスに関する。
【０００３】
電子デバイスは、多くの場合、ディスプレイを含む。例えば、セルラー電話機及びポータブルコンピュータは、ユーザに情報を提示するためのディスプレイを含む。
【０００４】
電子デバイスにディスプレイを搭載するとき、エラストマトリムを用いることができる。エラストマトリムは、ディスプレイの周辺を囲むことができ、ディスプレイが筐体と直接接触することにより傷つくことを防止することができる。
【０００５】
注意が払われない場合には、エラストマトリムは、所望とするよりも大きくなり得る。これにより、ディスプレイの境界を所望通りに小さくするのが難しいか、又は不可能になる恐れがある。
【０００６】
デバイスの構造に関して、トリムの向きを制御することが難しい可能性があるため、デバイスに一片の細いトリムを組み付ける場合にもまた、問題が起こる可能性がある。
【０００７】
したがって、ディスプレイを有する電子デバイスのために改善されたディスプレイトリムを提供することが可能となれば、望ましいであろう。
【発明の概要】
【０００８】
電子機器はディスプレイを備えることができる。電子デバイスは、ディスプレイ及び他の部品が搭載される筐体を含むことができる。筐体は、金属、プラスチック、ガラス又は繊維系複合材などの材料から形成することができる。
【０００９】
ディスプレイトリムは、筐体の上に直接成形される射出成形プラスチックから、形成することができる。射出成形ツールは、プラスチックを融解するために、熱可塑性エラストマペレットを十分に加熱することができる。融解したプラスチックは、モールド金型のチャネルを用いて、所望のトリム外形に形成することができる。
【００１０】
成形されたプラスチックトリムは、筐体の外周縁のまわりに、長方形のリングを形成することができる。筐体は、成形プラスチックトリムにより覆われた、傾斜するか又は湾曲した内表面を有してもよい。
【００１１】
コンピュータ制御の位置決め装置は、射出成形ツール内で筐体を中心におくために、使用することができる。独立して制御される位置決め装置は、更に、射出成形ツールの下型と上型との間で筐体を捕捉することに用いることができる。下型及び上型が、筐体に押しつけられている間に、射出成形ツールは、プラスチックディスプレイトリムを形成するために、上型のチャネルに、融解した熱可塑性エラストマ材料を注入することができる。
【図面の簡単な説明】
【００１２】
【図１Ａ】一実施形態に係るハンドヘルドコンピューティングデバイスなどの例示的な電子デバイスの斜視図である。
【図１Ｂ】一実施形態に係る、ポータブルコンピュータ、又はディスプレイを有する他のポータブルコンピューティングデバイスなどの、例示的な電子デバイスの斜視図である。
【図２】一実施形態に係る、ディスプレイ及びディスプレイトリムを有する、例示的な電子デバイスの側面断面図である。
【図３】一実施形態に係る、電子デバイスディスプレイのディスプレイトリムを形成するのに使用することができる成形ツールの分解斜視図である。
【図４】一実施形態に係る、電子デバイス筐体の上に射出成形ディスプレイを形成するための上型に溝を有する、例示的な成形ツールの上下の成形金型の斜視図である。
【図５】一実施形態に係る、注入された成形プラスチック（電子デバイス筐体上のディスプレイトリム用）を収容する、凹部を設けたチャネルを有する成形金型の一部の平面図である。
【図６】一実施形態に係る、成形ディスプレイトリムが、傾斜した下面を有し得る様子を示す、電子デバイス筐体の一部の側面断面図である。
【図７】一実施形態に係る成形ディスプレイトリムが、曲率半径により特徴づけられる湾曲した部分を有し得る様子を示す、電子デバイスの一部の側面断面図である。
【図８】一実施形態に係る、例示的な成形ディスプレイトリムが、傾斜した下面及び曲率半径により特徴づけられる湾曲した部分を有し得る様子を示す、電子デバイスの一部の側面断面図である。
【図９】一実施形態に係る、ディスプレイの成形されたディスプレイトリムを形成する例示的な射出成形ツールに関連する２対の水平アクチュエータの斜視図である。
【図１０】一実施形態に係るディスプレイのディスプレイトリムをインサート成形する処理の間に、成形ツール構造を移動するのに使用することができる例示的なギア付きアクチュエータの側面断面図である。
【図１１】一実施形態に係る例示的なディスプレイトリム成形ツールの平面図である。
【図１２】一実施形態に係る図１１の例示的なディスプレイトリム成形ツールの端部の側面断面図である。
【図１３】一実施形態に係る、電子デバイスディスプレイの成形されたプラスチックディスプレイトリムを形成することに関与する、例示的なステップのフローチャートである。
【発明を実施するための形態】
【００１３】
電子デバイスのディスプレイは、トリムを備えることができる。エラストマトリムは、ディスプレイを囲むことができ、ディスプレイが金属筐体と直接接触することにより傷つくことを防止することができる。例えば、ディスプレイトリムは、ディスプレイが、コンピューティングデバイスの金属の筐体又は他の電子デバイスの筐体構造と接触することにより、傷つくことを防止することができる。ディスプレイトリムは、筐体構造などの電子デバイス構造の上に成形されるプラスチックから、形成することができる。筐体の上にトリムを正確に載置することにより、寸法公差を向上することができ、それによって、トリムのサイズを最小化することができる。筐体に細い単独のトリム部材を取り付ける場合に、そうでなければ起こることがあり得る問題点もまた、回避することができ、それによって、組立作業を簡素化することができる。
【００１４】
ディスプレイ及びディスプレイのトリムを備え得るタイプの例示的な電子デバイスが、図１Ａ及び図１Ｂに示されている。図１Ａの電子デバイス１０又は図１Ｂの電子デバイス１０などの電子デバイスは、ラップトップコンピュータ、組み込み型コンピュータを包含するコンピュータモニタ、タブレットコンピュータ、携帯電話、メディアプレーヤ又はその他のハンドヘルド若しくはポータブル電子デバイス、腕時計型デバイス、ペンダント型デバイス、ヘッドホン型若しくはイヤホン型デバイスなどの小さめのデバイス又はその他の着用可能な若しくはミニチュアデバイス、テレビ、組み込み型コンピュータを包含しないコンピュータディスプレイ、ゲーミングデバイス、ナビゲーションデバイス、ディスプレイを有する電子装置をキオスク又は自動車に搭載するシステムなどの組み込みシステム、２つ又はそれ以上のこれらのデバイス又はその他の電子装置の機能を実装する装置、などのコンピューティングデバイスであってもよい。図１Ａの例示的な構成において、デバイス１０はセルラー電話、メディアプレーヤ、タブレットコンピュータ、又は他のポータブルコンピューティングデバイスなどのポータブルデバイスである。図１Ｂの例示的な構成において、デバイス１０は、ディスプレイ及び筐体（ヒンジにより上側筐体に取り付けられ、キーボード２３及びトラックパッド２５を含む）を包含する上側筐体部分を備えたポータブルコンピュータなどのポータブルコンピューティングデバイスである。必要に応じて、デバイス１０に関して、他の構成を使用することができる。図１Ａ及び図１Ｂの例は、単なる例示にすぎない。
【００１５】
デバイス１０は、筐体１２などの筐体構造に搭載されたディスプレイ１４などの１つ以上のディスプレイを有してもよい。ケースと称されることもあるデバイス１０の筐体１２は、プラスチック、ガラス、セラミックス、炭素繊維複合材及びその他の繊維系複合材、金属（例えば、加工されたアルミニウム、ステンレス鋼又はその他の金属）、その他の材料又はこれらの材料の組合せなどの材料で形成することが可能である。筐体１２の大部分又は全てが単一の構造要素（例えば、一片の加工された金属又は一片の成形プラスチック）から形成されている単一本体構造を用いてデバイス１０を形成してよく、又は複数の筐体の構造（例えば、内部フレーム要素又はその他の内部筐体構造に搭載された外部筐体構造）から形成されてもよい。
【００１６】
ディスプレイ１４は、タッチセンサを含むタッチセンシティブディスプレイであってもよく、又はタッチに反応しなくてもよい。ディスプレイ１４のタッチセンサは、容量性タッチセンサ電極のアレイ、抵抗性タッチアレイ、音響タッチ、光学式タッチ若しくは感圧式タッチ技術に基づくタッチセンサ構造又はその他の好適なタッチセンサ部品から形成してもよい。
【００１７】
デバイス１０のディスプレイ１４には、液晶ディスプレイ（ＬＣＤ）部品、又は、有機発光ダイオードディスプレイ画素、電気泳動表示画素、プラズマディスプレイ画素、その他、などの他の好適な表示画素構造から形成された表示画素が含まれる。
【００１８】
ディスプレイカバー層は、ディスプレイ１４の表面又はカラーフィルタ層（例えば、パターン形成カラーフィルタ要素で覆われた透明な基板から形成された層）などのディスプレイ層をカバーしてもよく、あるいは、ディスプレイのその他の部分は、ディスプレイ１４内の最も外側の（又はほぼ最も外側の）層として用いてもよい。最も外側のディスプレイ層は、透明なガラス板、透明なプラスチック層又は他の透明な部材から形成することができる。必要に応じて、図１Ａのボタン１６及びスピーカポート１８など（例として）の部品を収容するために、開口部をディスプレイ１４の最外層に形成してもよい。ボタン、コネクタポート及び他の構造もまた、筐体１２の開口部を用いて、収容してもよい。
【００１９】
ディスプレイ１４のディスプレイカバー層及び／又は他の層は、ガラスなどの材料から形成される場合があり得る一方で、デバイス１０の筐体１２は、金属などの材料から形成される場合があり得る。ディスプレイ１４のガラス又は他の材料と、筐体１２の金属又は他の材料との間で、そうでなければ直接接触により起こり得るであろう、ディスプレイ１４への損傷を防止するのを助けるために、ディスプレイ１４（即ち、ディスプレイ１４の長方形の外周縁）の外縁部と、筐体１２の対向する内縁部との間に、プラスチック（高分子）トリムを介在させることができる。トリムは、筐体１２より柔らかいプラスチック材料から形成してもよい（例えば、トリムはエラストマ高分子から形成してもよい）。トリムは、射出成形（インサート成形）技術を用いて筐体１２の上に成形してもよい。トリムを形成する射出成形の使用は、厳格な寸法公差を達成するのに役立つことができ、アセンブリを簡素化することができる。これにより、トリムの大きさ、したがって、ディスプレイ１４の非アクティブの境界領域の幅を最小化することができ、それによって、デバイスの美観を向上することができる。
【００２０】
図１Ａ又は図１Ｂのライン２０に沿って取られ、図１Ａ又は図１Ｂの２２の方向に見た、図１Ａのデバイス１０又は図１Ｂのデバイス１０などの例示的な電子デバイスの側面断面図は、図２に示されている。図２に示すように、ディスプレイトリム２４は筐体１２の内表面２６の上に成形することができる。内表面２６は、筐体１２の外周縁に沿った内向きの周辺棚部を形成することができる。ディスプレイ１４は、外側ディスプレイ層３０及び内側ディスプレイ層３２を含んでもよい。ディスプレイ層３０などのディスプレイ層、又はディスプレイ１４の他の層は、トリム２４により、支持することができる。この構成において、トリム２４は、ディスプレイ１４への損傷を防止するのを助けるために、ディスプレイ１４の外縁部と筐体１２の対向する内表面との間に介在してもよい。
【００２１】
ディスプレイ１４の外側ディスプレイ層３０は、透明なガラス又はプラスチックの層とすることができる。例えば、ディスプレイ層３０は、ディスプレイカバーガラス層又は他のディスプレイカバー層とすることができる。層３２は、液晶ディスプレイ、有機発光ダイオードディスプレイ、プラズマディスプレイ、電気泳動ディスプレイ又は他のディスプレイを形成してもよい。例えば、層３２は、カラーフィルタ層と薄膜トランジスタ層との間に介在し対向する上下の偏光子間に挟まれた液晶材料の層などの、液晶ディスプレイ層を含んでもよい。必要に応じて、カラーフィルタ層又は薄膜トランジスタ層は、ディスプレイカバー層３０の代わりに使用することができる。ディスプレイ１４がディスプレイカバー層を有するディスプレイ１４の構成は、一例として、本明細書で時折記載される。
【００２２】
デバイス１０は、基板３４などの１つ以上の基板の上に搭載された内部部品３６を含んでもよい。内部部品３６は、集積回路、センサ、スイッチ、コネクタ及び他の電子部品を含んでもよい。基板３４は、プリント配線板又は他の基板とすることができる。例えば、基板３４は、ガラス繊維充填エポキシなどの材料から形成されたリジッドプリント配線板とすることができる。あるいは、シート状のポリイミド、又は他のフレキシブル高分子の層から形成されたフレックス回路などのフレキシブルプリント配線板、とすることができる。
【００２３】
図２の例の表面２６は、成形されたトリム２４を支持するＬ字状の棚部を形成する。ディスプレイ１４がデバイス１０に搭載されるとき、ディスプレイカバー層３０の下部周縁面４０は、トリム２４の面４３に載置され、外縁面３８は、トリム２４の面２８に対向して載置される。必要に応じて、トリム２４及び筐体１２の他の形状及び構成を使用してもよい。図２の例示的な構成は、単なる例示にすぎない。
【００２４】
トリム２４は、図３の斜視図のツール４２などの射出成形ツールを用いて、形成してもよい。ツール４４は、リザーバ４４などの、プラスチックペレット又は他のプラスチック材料のリザーバを有してもよい。プラスチックは、例えば、熱可塑性ポリウレタン、熱可塑性ポリアミド又は他の熱可塑性エラストマなどの熱可塑性エラストマ（ＴＰＥ）であってもよい。リザーバ４４は、プラスチックペレットを、融解用のヒータ４６に提供するために、使用することができる。ヒータ４６は、プラスチックペレットの温度を、融解温度を越えるまで（例えば、２５０℃より高い温度に）、上げてもよい。融解したプラスチックは、管４８を通って、上型５０などのプラスチック成形構造内のチャネルの中に、押し込むことができる（一例として）。
【００２５】
上型５０は、下型５４と結合することができる。上型５０及び下型５４などのプラスチック射出成形金型構造は、金型構造の一部を互いに、及び加工物５２に、位置合わせするのを助けるために、例示的なピン５６及び嵌合開口部５８などの位置合わせ機構を備えることができる。例えば、ピン５６は、上型５０を下型５４に位置合わせするのを助けるために、使用することができる。
【００２６】
射出成形動作の間に、加工物５２などの加工物は、金型の中に収容することができる。例えば、金型５０及び金型５４が連結するときに、加工物５２は、上型５０及び／又は下型５４の内部の空洞内に収容することができる。加工物５２は、例えば、筐体１２としてもよい。上型５０及び下型５４は、射出成形動作の間に、加工物５２を定位置に保持するために、加工物５２（即ち、筐体１２）の表面に対して、押しつけることができる。加熱されて融解したプラスチックが、リザーバ４４から金型内に流入するにつれて、筐体１２の上に、トリム２４を直接形成することができる。これによって、トリム２４が筐体１２に付着する（例えば、化学結合を形成することにより）のを助けることができる。成形金型は、トリム２４を形成するプラスチックを冷却するのを助けるために、ヒータ４６の温度に対して、比較的低い温度に保持してもよい。例えば、成形金型構造は、約３０℃の温度に保持してもよい。
【００２７】
図４は、図４の射出成形ツール４２の金型構造の例示的なセットの斜視図である。ツール４２は、上型５０及び下型５４などの、嵌合する上下の射出成形金型を有することができる。金型５０は、１つ以上の金属部材から形成してもよく、金型５４は１つ以上の金属部材から形成してもよい。必要に応じて、各金型の分離した部分は、コンピュータ制御の位置決め装置を用いて、独立して位置付けることができる。
【００２８】
射出成形の間に、融解したプラスチックの流れを抑制するシールを形成するために、コンピュータ制御の位置決め装置（アクチュエータ）を用いて、金型５０及び金型５４を形成する金属部材又は他の構造を、筐体１２又は他の加工物の表面に対して、押しつけることができる。図４の例に示すように、上型５０の下面６２は、チャネル６０などのチャネルを備えてもよい。チャネル６０は、筐体１２の外周縁の長方形の外形に合致する長方形のリング状の溝の外形を有することができる。融解したプラスチックは、成形の間に、チャネル６０に流入することができる。
【００２９】
射出成形動作の間に、チャネル６０の、熱可塑性エラストマ又は他の射出成形プラスチックは、筐体１２上のトリム２４などの射出成形プラスチックトリムを形成するために、使用することができる。図５は、チャネル６０が、トリム２４を形成するとき、成形されたプラスチックの注入に対応するために、局所拡大部分６０’などの局所拡大部分を有する様子について示す、上型５０の図４に関するトリムチャネル６０の一部の平面図である。金型５０の長方形のリング状のチャネル６０は、局所拡大部分６０’などの１つ以上の局所拡大部分（例えば、１つ以上の局所拡大部分６０’、２以上の局所拡大部分６０’、その他）を備えてもよい。
【００３０】
図６は、トリム２４及び筐体１２が筐体１２の内表面で嵌合する傾斜面７０を備えた構成における、デバイス１０の一部分の側面断面図である。筐体１２は、水平軸６４（図６の向きの）に平行に沿った平面の形状を有してもよい。この構成において、筐体１２の平面の外形は、水平面に位置してもよい。
【００３１】
斜めの軸７２は、筐体１２の水平軸６４及び水平面に対して、ゼロ以外の角度Ａに向いてもよい。筐体１２の内縁部の一部（即ち、領域７０における筐体１２の長方形の外周縁のまわりに沿った長方形の端部）は、傾斜した軸７２に沿った平面に位置してもよい。トリム２４は、同様に、領域７０に傾斜した端部を有してもよい。その結果、筐体１２の内表面７０は、筐体１２を包含する水平面に対して、ゼロ以外の角度で傾斜することになり、水平軸６４に対して、ゼロ以外の軸で傾斜することになる。
【００３２】
軸７２に沿った領域７０の長さは、トリム２４の上で水平向きの下面の長さより長いことになる。したがって、図６に示されるタイプのトリム２４の傾斜した下面構成は、トリム２４と筐体１２との間の接触領域７０の表面積を増加させるのを助けることができる。軸７２のゼロ以外の角度Ａにより与えられる領域７０の向上した表面積は、トリム２４を筐体１２に強固に取り付けることを助ける、大きな結合表面を生成することができる。トリム２４は、成形されたトリム２４を筐体１２に取り付けることを助けるために、上部筐体端部表面６６の内縁部６８上に延在する上部リップ部分を有してもよい。
【００３３】
図７の例示的な構成において、トリム２４及び筐体１２の領域７０は、最小曲率半径Ｒｍｉｎより大きく、最大曲率半径Ｒｍａｘより小さい曲率半径Ｒを有する、滑らかな湾曲した面形状により、特徴づけられる。最小曲率半径Ｒｍｉｎは、例えば、１０ｍｍ、５ｍｍ、１ｍｍ、０．５ｍｍ、０．１ｍｍ、０．１ｍｍ未満、又は他の好適な寸法であってもよい。最大曲率半径Ｒｍａｘは、０．１ｍｍ、０．５ｍｍ、１ｍｍ、５ｍｍ、１０ｍｍ、１０ｍｍより大きな、又は他の好適な寸法であってもよい。曲率半径Ｒがあまり小さくないようにすることにより、トリム２４の応力を最小化することができる。筐体１２の内表面の垂直と水平部分間の直角曲りを、コンパクトに形成することができるように、曲率半径Ｒは、あまり大きくないことが望ましい。
【００３４】
図８は、トリム２４及び筐体１２の領域７０が、曲率半径Ｒ（ＲｍｉｎとＲｍａｘとの間）を備えると同時に、領域７０の延在する部分を、傾斜した軸７２に沿ってもまた、向き付けることができる様子を示している。他の構成は、必要に応じて、筐体１２及びトリム２４に使用することができる。図６〜図８に示される構成は、単なる例示にすぎない。
【００３５】
図９は、射出成形ツール４２の部分の斜視図である。図９に示すように、射出成形ツール４２は、上型５０及び下型５４（図９に示さず）に対する加工物５２（例えば、筐体１２）の水平位置の制御を助けるために、コンピュータ制御の位置決め装置（アクチュエータ）を用いてもよい。例えば、コンピュータ制御の位置決め装置７４は、加工物５２の端部８０を、７８の方向に押圧するスライド部材７６を用いてもよく、対向するコンピュータ制御の位置決め装置８２は、加工物５２の端部８８を、８６の方向に押圧するスライド部材８４を用いてもよい。コンピュータ制御の位置決め装置９８は、加工物５２の面１０２を、１０４の方向に押圧するスライド部材１００を用いてもよく、対向するコンピュータ制御の位置決め装置９０は、加工物５２の端部９４を、９６の方向に押圧するスライド部材９２を用いてもよい。必要に応じて、より多くの位置決め装置又はより少ない位置決め装置を、射出成形ツール４２に用いることができる。例えば、加工物５２の４つの隅のそれぞれにおいて、垂直位置決め装置を使用することができ、垂直と水平（横方向）の位置決め装置の組合せは、加工物５２その他の位置を調節するために使用することができる。加工物５２の水平位置を調節するために、水平位置決め装置の２組の対向するペアが使用される図９の構成は、単なる例示にすぎない。
【００３６】
図１０は、射出成形ツール４２の位置決め装置が、部材１１４及び１１６上の直線状のギア付き表面１０６及び歯車１１０上の湾曲したギア付き表面１０８、などのギア付き表面を有することができる様子を示す図である。歯車１１０は、軸１１２のまわりに回転することができる。歯車１１０に取り付けられたモーター又は線形アクチュエータ１２０などの線形アクチュエータは、部材１１６に対して部材１１４を移動するのに使用することができ、それによって、射出成形ツール４２内のスライド部材又は他の構造を、加工物５２に対して移動する（例えば、図９参照）ことができる。
【００３７】
筐体１２は、角箱の形状又は他の好適な形状を有することができる。例えば、筐体１２は湾曲した隅、１つ以上の湾曲した縁又は他の形状を備えた角箱形状、を有してもよい。図１１は、射出成形ツール４２が、分割された下型を有し得る様子を示す、射出成形装置４２の平面図である。図１１に示すように、下型５４は、中心金型部分５４−５を有し、この上に、定位置に加工物５２（筐体１２）を保持するための真空孔を有する。下型５４は更に、４つの隅部分５４−１、５４−２、５４−３及び５４−４を有してもよい。金型５４の各部分の垂直位置（図１１のページへの出入りの方向）は、下型５４の表面が筐体１２の外形に従うようにするのを助けるために、独立して制御することができる。筐体１２が湾曲した外面を有する構成において、下型部分５４−１、５４−２、５４−３、５４−４及び５４−５は、筐体１２の外側の湾曲した表面に合致する、湾曲した嵌合面を有することができる。これにより、下型５４は、筐体１２の下部表面に、上向きに垂直に圧力をかけることができると同時に、トリム２４用のプラスチックを射出成形するときに、上型５０が封止部を形成するために下に垂直に圧力を印加するので、筐体１２（即ち、加工物５２）へのいかなる損傷をも防止することができる。
【００３８】
ライン１２２に沿って取られ、１２４の方向に見た、図１１のツール４２の端部の側面断面図は、図１２に示されている。図１２に示すように、下型部分５４−５は、筐体１２の中心の下に、間隙１３０のような長方形の間隙を形成する中央のくぼみを有してもよい。間隙１３０により、筐体１２に損傷を与えることを防止するために、下型５４の中央上面と筐体１２の外表面との間に、クリアランスが提供され得る。筐体１２の端部に沿った金型部分５４−５の上部表面は、筐体１２の外側の湾曲した形状に合致する湾曲した形状を有してもよい。位置決め装置１２６などの水平位置決め装置は、下型５４及び上型５０に対する筐体１２の水平位置を調節するために、使用することができる。例えば、水平位置決め装置１２６は、筐体１２の左端を、１２８の方向に押圧してもよい。そして、３つの他の水平位置決め装置は、筐体１２がツール４２内で、中央又は中央以外に配置されることを可能にするために、筐体１２の３つの他の端部を押圧してもよい。マシンビジョン又は他の検知技術は、金型５０及び５４、並びに加工物５２の位置に関する情報を、射出成形ツール４２内の位置決め装置に提供するために、使用することができる。
【００３９】
上型５０は、チャネル６０などのチャネルを有してもよい。射出成形動作の間に、融解したプラスチックは、トリム２４を形成するために、チャネル６０に注入することができる。射出成形プロセスの一部として、トリム２４は、筐体１２の嵌合面と化学結合を形成してもよい。コンピュータ制御の位置決め装置によって、金型に対して、筐体１２を位置合わせしながら、筐体１２の上にトリム２４を直接形成する射出成形技術の使用により、所望の厳格な寸法公差を満足する小さな寸法で、更に、トリム２４を形成することができる。
【００４０】
射出成形プラスチックディスプレイトリムを有する電子デバイスの形成に関与する例示的なステップのフローチャートが、図１３に示されている。
【００４１】
ステップ１３２で、筐体１２は、下型５４の中に位置付けられてもよい。図９の、コンピュータ制御のスライド部材７６、９２、８２及び１００などの心出しスライド部材、又は他の水平位置決め装置は、ツール４２内で、筐体１２を中心におくために、使用することができる。それによって、下型５４に対して、筐体１２を水平方向の正確な位置に、位置付けることができる。
【００４２】
ステップ１３６では、筐体１２及び下型５４の最上部の上に、上型５０を降ろすことができる。図３のピン５６及び孔５８などの位置合わせ機構は、上型５０及びチャネル６０を、筐体１２に対して位置合わせするために、互いに係合することができる。
【００４３】
ステップ１３８では、下型部分５４−１、５４−２、５４−３、５４−４及び５４−５に結合された、独立したコンピュータ制御の垂直移動位置決め装置などの下型位置決め装置は、下型をロードし、それによって、上部及び下型を共に押圧するために、筐体１２の下部表面に対して、垂直上方に移動することができる。これによって、筐体１２と封止部を形成することができる。
【００４４】
ステップ１４０では、融解したプラスチックを、ヒータ４６から上型５０のチャネル６０に注入することができ、それによって、筐体１２の上にトリム２４をオーバーモールドすることができる。トリム２４は、長方形のリング形状を有することができるか、又は他の好適な形状を有することができる（例えば、トリム２４は複数のトリムセグメントに分割することができ、直線状の及び／又は湾曲したトリム部分、その他を有することができる）。
【００４５】
ステップ１４２では、上型５０は、筐体１２から除去することができる。
【００４６】
ステップ１４４で、ツール４２の水平位置決め装置（例えば、図９参照）は、水平に外へ移動することにより、解除することができる。
【００４７】
ステップ１４６では、筐体１２及び一体成形のトリム２４は、射出成形ツール４２から除去することができる。トリム２４は、筐体１２に取り付けられ、長方形開口部（ディスプレイ１４の外側の側面寸法に合致する寸法を有する）を囲む。ディスプレイ１４は、トリム２４及びディスプレイ１４の中央の長方形の開口部に搭載することができる（例えば、圧入を用いて、接着剤を用いて、接着剤を用いないで、及び／又は他の組立技術を用いて）。筐体１２、ディスプレイ１４、及び、図２の部品３６及び基板３４などの他の部品は、共に組み立ててもよく、それによって、完成した電子デバイスを形成することができる。
【００４８】
一実施形態によれば、射出成形ツールを用いて、電子デバイスの電子デバイス筐体構造の上に、プラスチックディスプレイトリムを射出成形するステップと、プラスチックディスプレイトリムにディスプレイを搭載するステップと、を含む、電子デバイスを形成する方法が提供される。
【００４９】
別の実施形態によれば、プラスチックディスプレイトリムを射出成形するステップは、プラスチックディスプレイトリム用のプラスチックを形成する熱可塑性エラストマ材料を融解するステップを含む。
【００５０】
別の実施形態によれば、射出成形ツールは、長方形のチャネルを有する金型を備え、プラスチックディスプレイトリムを射出成形するステップは、プラスチックを長方形のチャネルに注入するステップを含む。
【００５１】
別の実施形態によれば、電子デバイス筐体は、平面に位置し、その平面に対してゼロ以外の角度で傾斜する傾斜内表面を有し、プラスチックディスプレイトリムを射出成形するステップは、傾斜内表面上にプラスチックディスプレイトリムを射出成形するステップを含む。
【００５２】
別の実施形態によれば、電子デバイス筐体構造は、曲率半径を有する湾曲した面を備え、プラスチックディスプレイトリムを射出成形するステップは、その湾曲した面上にプラスチックディスプレイトリムを射出成形するステップを含む。
【００５３】
別の実施形態によれば、曲率半径は０．１ｍｍより大きく、５ｍｍより小さい。
【００５４】
別の実施形態によれば、射出成形ツールは、上型構造及び下型構造を備え、本方法は、上型構造と下型構造との間に電子デバイス筐体構造を押しつけるステップを含む。
【００５５】
別の実施形態によれば、本方法は、コンピュータ制御の位置決め装置を用いて、電子デバイス筐体構造を、下型構造に対して、水平方向に位置付けるステップを含む。
【００５６】
別の実施形態によれば、下型構造は、複数の個別に制御される部分を含み、上型構造と下型構造との間に電子デバイス筐体構造を押しつけるステップは、個別に制御される部分の各々を、電子デバイス筐体構造に対して移動するステップを含む。
【００５７】
別の実施形態によれば、個別に制御される部分は、４つの隅部分を含み、上型構造と下型構造との間に電子デバイス筐体構造を押しつけるステップは、４つの隅部分の各々を移動するステップを含む。
【００５８】
一実施形態によれば、電子デバイス筐体と、電子デバイス筐体の上に射出成形されるオーバーモールドされたプラスチックディスプレイトリムと、プラスチックディスプレイトリム内のディスプレイと、を含む装置が提供される。
【００５９】
別の実施形態によれば、ディスプレイは、プラスチックディスプレイトリム内に搭載される長方形のディスプレイカバーガラスを含む。
【００６０】
別の実施形態によれば、電子デバイス筐体は、平面の金属筐体を含み、オーバーモールドされたプラスチックディスプレイトリムは、平面の金属筐体の周縁部分の内表面の上に射出成形される。
【００６１】
別の実施形態によれば、オーバーモールドされたプラスチックディスプレイトリムは、ディスプレイが搭載される長方形の開口部を有する長方形のリング形状を備える。
【００６２】
別の実施形態によれば、電子デバイス筐体は、平面に位置し、筐体の傾斜する内面が、その平面に対してゼロ以外の角度に向いた軸に沿って位置し、オーバーモールドされたプラスチックディスプレイトリムは、傾斜する内面の上に射出成形される。
【００６３】
別の実施形態によれば、電子デバイス筐体は、平面に位置し、電子デバイス筐体の湾曲した内面は、０．１ｍｍより大きく５ｍｍより小さい曲率半径により特徴づけられ、オーバーモールドされたプラスチックディスプレイトリムは、湾曲した内面の上に射出成形される。
【００６４】
別の実施形態によれば、本装置は、プリント配線と、プリント配線の上に搭載された電気部品と、を含み、そのプリント配線及び電気部品は、電子デバイス筐体とディスプレイとの間に位置する。
【００６５】
一実施形態によれば、金属のコンピューティングデバイス筐体構造と、金属のコンピューティングデバイス筐体構造の上に直接成形されるプラスチックトリムと、を含む装置が提供される。
【００６６】
別の実施形態によれば、本装置は、プラスチックトリム内に搭載されたディスプレイ層を含む。
【００６７】
別の実施形態によれば、ディスプレイ層は、長方形のガラス層を含む。
【００６８】
上述の内容は単なる例示にすぎず、説明された実施形態の範囲及び趣旨から逸脱することなく、当業者によってさまざまな修正を行うことができる。上述の実施形態は、個々に又は任意の組合せで実行することができる。
【図１Ａ】
0006378339.tif 000002
【図１Ｂ】
0006378339.tif 000003
【図２】
0006378339.tif 000004
【図３】
0006378339.tif 000005
【図４】
0006378339.tif 000006
【図５】
0006378339.tif 000007
【図６】
0006378339.tif 000008
【図７】
0006378339.tif 000009
【図８】
0006378339.tif 000010
【図９】
0006378339.tif 000011
【図１０】
0006378339.tif 000012
【図１１】
0006378339.tif 000013
【図１２】
0006378339.tif 000014
【図１３】
0006378339.tif 000015